(57)【特許請求の範囲】
【請求項１】
スライド式の扉体と、
前記扉体に設けられ、前記扉体を手動でスライドさせるための手動開閉機構と、
を備え、
前記手動開閉機構は、
水平方向に揺動可能となる態様で前記扉体に取り付けられた複数の水平支持ローラと、
前記扉体の全閉位置において前記水平支持ローラを揺動させて開口部側の固定部に押し当てることで、前記扉体を開口部から離反させるとともにスライド自在にする操作手段と、
を備える、ドア装置。
【請求項２】
請求項１に記載のドア装置において、
前記操作手段は、
前記扉体の扉面に取り付けられた回転レバーと、
前記扉体の内部に収容され、前記回転レバーの回転操作に連動して上下方向に伸縮するグレモンロッドと、
前記回転レバーの回転運動を前記グレモンロッドの伸縮運動に変換するグレモン本体と、
前記グレモンロッドの先端に取り付けられ、上下方向に対して傾斜する傾斜面を有するクサビ状体と、
を備え、
前記水平支持ローラは、
ローラと、
前記ローラが取り付けられ、水平方向に揺動するように前記扉体に取り付けられたローラ支持部材と、
を備え、
前記ローラ支持部材が前記クサビ状体で開口部側に押されることで、前記扉体が開口部から離反するとともにスライド自在となることを特徴とする、ドア装置。
【請求項３】
請求項２に記載のドア装置において、
円板が取り付けられた２組の前記グレモン本体および２組の前記グレモンロッドが、水平方向に所定の間隔をあけて前記扉体の内部に収容されており、
隣り合う前記円板同士が連結棒で連結されており、
前記回転レバーの回転操作に連動して、２組の前記グレモンロッドが上下方向に伸縮することを特徴とする、ドア装置。
【請求項４】
請求項１〜３のいずれかに記載のドア装置において、
非常信号に連動して前記扉体を全閉位置までスライドさせて開口部を自動閉鎖させる扉自閉手段を備えることを特徴とする、ドア装置。
【請求項５】
請求項１〜３のいずれかに記載のドア装置において、
通常時には前記扉体を自動開閉し、非常時には非常信号に連動して前記扉体を全閉位置までスライドさせて開口部を自動閉鎖させる扉駆動手段を備えることを特徴とする、ドア装置。
【発明の詳細な説明】
【技術分野】
【０００１】
本発明は、スライド式の扉体を具備してなるドア装置（手動、自動のいずれも含む）に関し、特に、防火用として好適なドア装置に関する。
【背景技術】
【０００２】
不活性ガスを室内に噴出する方式の消火設備を備える電気室、通信機器室などでは、室内の気密性を確保しやすいスイング式のドア（開き戸）が出入り口に設置されることが多い（例えば、特許文献１、２参照）。しかし、消火時に不活性ガスにより室内の圧力が高圧（７０〜１２０ｋｇｆ／ｍ２）となる状況下において、万一室内に取り残された人がドアを開けようとしても、その扉体には、圧力×扉体面積の力（例えば、７０ｋｇｆ／ｍ２×２ｍ２＝１４０ｋｇｆ以上の力）が作用することとなり、容易にドアを開けることができない。また、なんとかドアを開けることができたとしても、室内の圧力で煽られて扉体が勢いよく開放することとなり、危険をともなう恐れがある。
【先行技術文献】
【特許文献】
【０００３】
【特許文献１】実公平０１−１３１９７号公報
【特許文献２】特開昭６１−７５１８９号公報
【発明の概要】
【発明が解決しようとする課題】
【０００４】
対策として、スイング式のドア（開き戸）ではなく、スライド式のドア（引戸）を、電気室、通信機器室などの出入り口に設置することが考えられる。しかしながら、スライド式のドアであっても、その扉体に高圧（７０〜１２０ｋｇｆ／ｍ２）が作用した状態では、手動でドアを開閉することは困難であった。気密パッキン部の摩擦による摺動抵抗、小径戸車部の転がり抵抗、および鍔部の摺動抵抗に打ち勝って扉体をスライドさせなければならないからである。
【０００５】
本発明は、上記実情に鑑みてなされたものであって、その目的は、室内外の圧力差が大きい状態であっても手動による扉体の開閉を容易に行うことができるドア装置を提供することである。
【課題を解決するための手段】
【０００６】
本発明は、スライド式の扉体と、前記扉体に設けられ前記扉体を手動でスライドさせるための手動開閉機構とを備え、前記手動開閉機構は、水平方向に揺動可能となる態様で前記扉体に取り付けられた複数の水平支持ローラと、前記水平支持ローラを揺動させて開口部側の固定部に押し当てることで、前記扉体を開口部から離反させるとともにスライド自在にする操作手段とを備えるドア装置である。
【０００７】
この構成によると、扉体を開口部から離反させることで、扉体の周囲から室内のガスが室外へ抜け、扉体を動かしやすくなる。また、扉体を開口部から離反させるために固定部に押し当てるのは、摺動抵抗よりも一般的に小さな抵抗となる転がり抵抗が生じる水平支持ローラであり、この点においても、扉体が動きやすい。すなわち、本発明によると、室内外の圧力差が大きい状態であっても手動による扉体の開閉を容易に行うことができる。
【０００８】
また本発明において、前記操作手段は、前記扉体の扉面に取り付けられた回転レバーと、前記扉体の内部に収容され、前記回転レバーの回転操作に連動して上下方向に伸縮するグレモンロッドと、前記回転レバーの回転運動を前記グレモンロッドの伸縮運動に変換するグレモン本体と、前記グレモンロッドの先端に取り付けられ、上下方向に対して傾斜する傾斜面を有するクサビ状体と、を備え、前記水平支持ローラは、ローラと、前記ローラが取り付けられ、水平方向に揺動するように前記扉体に取り付けられたローラ支持部材と、を備え、前記ローラ支持部材が前記クサビ状体で開口部側に押されることで、前記扉体が開口部から離反するとともにスライド自在となることが好ましい。
【０００９】
この構成によると、ローラ支持部材の端部を支点にして水平方向にローラが揺動する。ここで、ローラ支持部材をクサビ状体が押す位置により、開口部側の固定部に対するローラの押付け力は変化する。すなわち、扉体に作用する力（ガスの力）の大きさに応じて、ローラ支持部材をクサビ状体が押す位置を決定することで、ローラの押付け力（開口部からの扉体の離反力）を調整することができる。換言すれば、ローラの押付け力（開口部からの扉体の離反力）を増力することができる。
【００１０】
さらに本発明において、円板が取り付けられた２組の前記グレモン本体および２組の前記グレモンロッドが、水平方向に所定の間隔をあけて前記扉体の内部に収容されており、隣り合う前記円板同士が連結棒で連結されており、前記回転レバーの回転操作に連動して、２組の前記グレモンロッドが上下方向に伸縮することが好ましい。
【００１１】
この構成によると、１つの回転レバーを操作することで２組のグレモンロッドを動かすことができる。
【００１２】
さらに本発明において、非常信号に連動して前記扉体を全閉位置までスライドさせて開口部を自動閉鎖させる扉自閉手段を備えることが好ましい。
【００１３】
さらに本発明において、通常時には前記扉体を自動開閉し、非常時には非常信号に連動して前記扉体を全閉位置までスライドさせて開口部を自動閉鎖させる扉駆動手段を備えることが好ましい。
【発明の効果】
【００１４】
本発明によれば、室内外の圧力差が大きい状態であっても手動による扉体の開閉を従来よりも容易に行うことができる。
【図面の簡単な説明】
【００１５】
【図１】本発明の一実施形態に係るドア装置を示す正面図である。
【図２】図１のＡ−Ａ断面図および図１のＢ−Ｂ断面図である。
【図３】図１のＣ部詳細図である。
【図４】本発明に係るスライド式の扉体の側断面詳細図である。
【図５】図４のＤ−Ｄ矢視図である。
【図６】図４のＥ−Ｅ矢視図である。
【発明を実施するための形態】
【００１６】
以下、本発明を実施するための形態について図面を参照しつつ説明する。以下に説明するドア装置は、窒素などの不活性ガスを室内に噴出する方式の消火設備を備える電気室・通信機器室などに設置される防火用のドア装置を想定しているが、本発明のドア装置は、このような防火用のドア装置に用途が限られるものではない。また、本発明のドア装置は、自動であってもよいし、手動であってもよい。
【００１７】
（ドア装置の構成）
図１、２に全体図を示したように、本実施形態のドア装置１は、スライド式（引戸式）の扉体２、フィックス扉４、およびスイング式の扉体３を具備してなるドア装置である。スライド式の扉体２は、その上部に設置された扉駆動装置５（ケース６の中に収容されている）により自動開閉される。なお、スライド式の扉体２の隣にスイング式の扉体３を設置しているが、この扉体３は必須のものではない。すなわち、扉体３は設置されていなくてもよい。また、スライド式の扉体２の退避位置（開位置）にガラス製のフィックス扉４を設置しているが、フィックス扉４ではなく戸袋形式としてもよい。
【００１８】
（スライド式の扉体）
スライド式の扉体２は、例えばステンレス鋼板などで製作された中空の扉体である。この扉体２には、当該扉体２を手動で動かす（スライドさせる）ための手動開閉機構７が取り付けられている。
【００１９】
（手動開閉機構）
手動開閉機構７は、水平支持ローラ８と、水平支持ローラ８を手動で動かすための操作手段９とで構成される。
【００２０】
（水平支持ローラ）
図１に示すように、水平支持ローラ８は、扉体２の上端および下端にそれぞれ２つずつ計４つ所定の間隔をあけて取り付けられている。図４〜６を参照しつつ水平支持ローラ８の構成について説明する。なお、水平支持ローラ８は、水平方向に揺動可能となる態様で扉体２の上端および下端にそれぞれ所定の間隔をあけて取り付けられたものである。ここで、図５は、図４のＤ−Ｄ矢視図であり、図６は、図４のＥ−Ｅ矢視図である。
【００２１】
図６に示したように、水平支持ローラ８は、円板状のローラ１９ａ（１９）と、ローラ１９ａが緩挿されたローラ軸２７と、ローラ軸２７が固定された板状のローラ支持部材２０とを有する。ローラ１９ａは、ローラ軸２７まわりに回転自在となっている。図５および図６に示したように、ローラ支持部材２０の一端部は、ピン部材２６により断面コ字状の部材２５を介して扉体２に取り付けられ、ローラ支持部材２０の他端部には、コイルばね２２が取り付けられている（図６ではコイルばね２２の図示を省略している）。ローラ支持部材２０の他端部の上面に、コイルばね２２の一端が取り付けられ、コイルばね２２の他端は、断面コ字状の部材２５を介して扉体２に固定されている。このコイルばね２２は、通常時に、ローラ１９ａを扉体２側に引き寄せておくためのものである。また、ローラ支持部材２０の他端部は、ガイド板２８によりガイドされて水平方向にのみ動けるようにされている。ガイド板２８は、コイルばね２２に当たらないようにして、ボルト３０で部材２５を介して扉体２に固定されている。ガイド板２８と部材２５との間に挟みこまれたスペーサ板３７の厚みは、ローラ支持部材２０の厚みよりも少し大きい。ローラ支持部材２０は、このような構造で、ピン部材２６部分を支点にして水平方向に揺動するように構成されている。
【００２２】
ピン部材２６とローラ軸２７との間のローラ支持部材２０の上面には、小型ローラ２１が取り付けられている。また、小型ローラ２１のローラ本体部の下方に位置する部分のローラ支持部材２０は、コ字状に切り欠かれている（図５、６中に切り欠き２０ａとして示している）。このコ字状に切り欠かれている部分を、後述のクサビ状体１８が上下に動くようになっている。なお、断面コ字状の部材２５についても同様に切り欠かれている。
【００２３】
また、図４に示したように、扉体２の下端にもローラ１９ｂ（１９）を具備してなる水平支持ローラ８が設けられている。扉体２の下端に設けられた水平支持ローラ８の構成は、扉体２の上端に設けられた水平支持ローラ８の構成と同じである。
【００２４】
（操作手段）
図３は、水平支持ローラ８を手動で動かすための操作手段９を説明するための図である。図３（ａ）は、図１のＣ部詳細図であり、図３（ｂ）は、図３（ａ）のＧ−Ｇ断面図である。
【００２５】
図３に示すように、操作手段９は、扉体２の扉面に取り付けられた回転レバー１０と、
回転レバー１０の回転操作に連動して上下方向に伸縮するグレモンロッド（１１、１２）と、回転レバー１０の回転運動をグレモンロッド（１１、１２）の伸縮運動に変換するグレモン本体（１３、１４）と、を有する。グレモンロッド（１１、１２）およびグレモン本体（１３、１４）は、扉体２の内部に収容されている。なお、グレモン本体（１３、１４）の内部には、回転レバー１０の回転運動をグレモンロッド（１１、１２）の伸縮運動（上下運動）に変換する機構が組み込まれている。グレモンロッド（１１、１２）およびグレモン本体（１３、１４）自体は、公知の技術である（例えば、特開２００３−２２７２５８号公報参照）。
【００２６】
本実施形態では、２組のグレモン本体（１３、１４）と、２組のグレモンロッド（１１、１２）とを用いている。グレモン本体（１３、１４）およびグレモンロッド（１１、１２）は、水平方向に所定の間隔をあけて配置されている。ここで、グレモン本体（１３、１４）には、それぞれ、円板（１５、１６）が取り付けられている。また、２組のグレモン本体（１３、１４）のうち一方のグレモン本体１３にのみ回転レバー１０が取り付けられている。回転レバー１０と円板１５とは、グレモン本体１３内で連結されており、回転レバー１０を例えば３０°回転させると、円板１５も３０°回転するように、回転レバー１０と円板１５とは連結されている。
【００２７】
隣り合う円板（１５、１６）同士は、連結棒１７で連結されている。円板（１５、１６）に対して連結棒１７が回転自在となるように、円板（１５、１６）と連結棒１７とはピンなどで連結される。円板（１５、１６）および連結棒１７は、回転レバー１０の回転運動を、グレモン本体１４に伝達するためのものである。円板（１５、１６）および連結棒１７は、扉体２の内部に収容されている。
【００２８】
グレモンロッド１１は、上ロッド１１ａと下ロッド１１ｂとからなる。上ロッド１１ａと下ロッド１１ｂとは一直線上に配置されている。上ロッド１１ａおよび下ロッド１１ｂの端部は、グレモン本体１３内に入れられており、グレモン本体１３内において、回転レバー１０の回転運動が上ロッド１１ａおよび下ロッド１１ｂの伸縮運動に変換される。回転レバー１０を回転させると、上ロッド１１ａが上方向に動く（または下方向に動く）とともに、下ロッド１１ｂが下方向に動く（または上方向に動く）。すなわち、上ロッド１１ａと下ロッド１１ｂとは対称の動きをする。同様に、グレモンロッド１２は、上ロッド１２ａと下ロッド１２ｂとからなる。グレモン本体１４内において、円板１６の回転運動が上ロッド１２ａおよび下ロッド１２ｂの伸縮運動に変換される。これらの構成により、回転レバー１０のみを操作することで２組のグレモンロッド（１１、１２）を同時に動かす（上下方向に連動して伸縮させる）ことができる。
【００２９】
ここで、図４に示すように、上ロッド１１ａおよび下ロッド１１ｂの先端には、それぞれクサビ状体１８が取り付けられている（上ロッド１２ａおよび下ロッド１２ｂについても同様）。クサビ状体１８は、上下方向に対して傾斜する傾斜面１８ａを有する。グレモンロッド（１１、１２）が伸縮する（上下する）ことでクサビ状体１８も上下する。ここで、グレモンロッド（１１、１２）を伸ばすことにより、ローラ支持部材２０の上面に取り付けられた小型ローラ２１をクサビ状体１８が押すように、小型ローラ２１およびクサビ状体１８は配置されている。
【００３０】
なお、グレモン本体１３は、回転レバー１０を操作位置まで回転させたとき、その操作位置に回転レバー１０を一時的に保持するロック機構を備えている。ここで、操作位置とは、グレモンロッド（１１、１２）（または、クサビ状体１８）が進出状態（扉体２から突出した状態）にあるときの回転レバー１０の位置のことをいう。扉体２の側端面とほぼ面一とされているグレモン本体１３の側端面１３ａにはボタン（不図示）が設けられており、扉体２を閉じたときに（本実施形態では、扉体３に扉体２が当たったときに）、そのボタンが引っ込んで、回転レバー１０の保持（ロック）が解除される。その後、回転レバー１０を操作位置まで回転させるとともに、回転レバー１０を押して（または引っぱって）扉体２をスライドさせたとき、ボタンが突出して回転レバー１０が一時的に保持（ロック）される。なお、回転レバー１０を一時的に保持（ロック）するこのようなロック機構は、例えばグレモン錠に関する技術において公知の技術であるので、機能的な説明にとどめ、機構の構造に関する説明は省略する。なお、回転レバー１０を一時的に操作位置で保持（ロック）するロック機構は、扉体２を容易にスライドさせるために好ましい機構であるが、必ずしも必要な機構ではない。
【００３１】
（扉駆動手段）
次に、図４を参照しつつ、ケース６の中に収容されている扉駆動装置５について説明する。扉駆動装置５は、扉体２を自動開閉させるための装置であり、図４に示したように、扉体２を吊り上げて支持するドアハンガ２４（戸車）、ドアハンガ２４を駆動する電動モータ２３などを具備してなる。図示を省略するが、扉駆動装置５は、電動モータ２３を制御するコントローラを有する。コントローラは、オプション機能として、非常信号入力配線を介して入力される非常信号に連動して扉体２を全閉位置までスライドさせて開口部を自動閉鎖させるようにプログラムされていてもよい。この場合、扉駆動装置５は、扉自閉手段としても機能することとなる。
【００３２】
ドアハンガ２４と扉体２との間には、断面コ字状の部材２５が配置されている。図６などに示したように、ドアハンガ２４と部材２５とはボルト３１で固定され、部材２５と扉体２とはボルト２９で固定されている。
【００３３】
図４に戻り、ケース６の内面には、板材からなる中空の箱状部材３３が、扉体２の開口部側に固定されている。そして、この箱状部材３３には、扉体２の上方に位置するローラ１９ａが押し当たる帯状部材３２が固定されている。帯状部材３２は、本発明における開口部側の固定部に相当する。箱状部材３３は、ケース６の内面と帯状部材３２との間のスペースを埋めるためのスペーサの役割を果たす部材である。なお、ケース６内の下部であって開口部側には気密パッキン３４が配置されている。
【００３４】
また、扉体２の下の床には、溝形のガイドレール３５が埋め込まれている。このガイドレール３５の内側をローラ１９ｂが動く。なお、ガイドレール３５のうち開口部側に位置する板状部３５ａは、本発明における開口部側の固定部に相当する。
【００３５】
（扉体２を手動で開けるときの手動開閉機構の動き）
次に、室内で火災が発生し、室内に人が取り残されていると仮定して、その取り残された人が扉体２を手動で開けるときの手動開閉機構７の動きについて説明する。室内に備えられている消火設備は、窒素などの不活性ガスを室内に噴出する消火設備とする。
【００３６】
室内で火災が発生すると、消火設備が作動して不活性ガスが室内に噴出する。そして、不活性ガスにより室内の圧力が高圧（７０〜１２０ｋｇｆ／ｍ２）となる。このような状況下、室内に取り残された人は、回転レバー１０を回すとともに、扉体２のスライド方向に回転レバー１０を押して（または引っぱって）、扉体２を開けようとする。
【００３７】
回転レバー１０が操作されると、グレモンロッド１１の上ロッド１１ａは上方に動き、下ロッド１１ｂは下方に動く。また、円板（１５、１６）および連結棒１７を介して操作力がグレモン本体１４にも伝わり、グレモンロッド１１と連動してグレモンロッド１２の上ロッド１２ａは上方に動き、下ロッド１２ｂは下方に動く。
【００３８】
これにより、扉体２の上側の２箇所のクサビ状体１８は上方に動き、扉体２の下側の２箇所のクサビ状体１８は下方に動く。そして、クサビ状体１８の傾斜面１８ａが小型ローラ２１に当たり、小型ローラ２１は、開口部側であって斜め上方（または斜め下方）に向けて押される。小型ローラ２１が固定されているローラ支持部材２０は、ガイド板２８で上下方向の動きが拘束されているため、コイルばね２２のばね力に抗して、開口部側に向けて（水平方向に）ピン部材２６を支点にして回転する。その結果、ローラ１９が揺動し、扉体２の上側のローラ１９ａは、帯状部材３２に当たる。扉体２の下側のローラ１９ｂは、ガイドレール３５の開口部側の板状部３５ａに当たる。
【００３９】
さらに、回転レバー１０を回すと、４つのローラ１９からの反力で、扉体２が開口部から離反する。扉体２が開口部から離反することで、扉体２の周囲から室内のガスが室外へ抜け、扉体２前後（室内側と室外側との間）の圧力差が小さくなる。また、気密パッキン３４の摩擦による摺動抵抗もなくなる。その結果、扉体２が動きやすくなり扉体２が開く。なお、扉体２を開口部から離反させるために固定部（帯状部材３２、板状部３５ａ）に押し当てるのは、摺動抵抗よりも一般的に小さな抵抗となる転がり抵抗が生じるローラ１９であり、この点においても、扉体２が動きやすくなっている。このように、本発明に係る手動開閉機構７によると、室内外の圧力差が大きい状態であっても手動による扉体２の開閉を容易に行うことができる。
【００４０】
なお、本発明に係る手動開閉機構７では、小型ローラ２１を介してローラ支持部材２０をクサビ状体１８が押す位置により、開口部側の固定部（帯状部材３２、板状部３５ａ）に対するローラ１９の押付け力は変化する。例えば、ローラ軸２７とガイド板２８との間隔（図６参照）を大きくして、ローラ軸２７とガイド板２８との間に小型ローラ２１を配置して、この小型ローラ２１をクサビ状体１８が押すようにする。このようにすると、力点と支点との間の距離が大きくなり、ローラ１９の押付け力（ローラ１９からの反力＝扉体２の離反力）は増大する。すなわち、扉体２に作用する力（ガスの力）の大きさに応じて、ローラ支持部材２０をクサビ状体１８が押す位置を決定することで、ローラ１９の押付け力（開口部からの扉体２の離反力）を調整することができる。換言すれば、ローラ１９の押付け力（開口部からの扉体２の離反力）を増力することができる。
【００４１】
以上、本発明の実施形態について説明したが、本発明は上述の実施の形態に限られるものではなく、特許請求の範囲に記載した限りにおいて様々に変更して実施することが可能なものである。
【００４２】
例えば、扉体２の上端および下端にそれぞれ２つずつ計４つの水平支持ローラ８を設けた例を示したが、水平支持ローラ８は２つであってもよいし、４つ以上であってもよい。同様に、２組のグレモンロッド（１１、１２）および２組のグレモン本体（１３、１４）を設けた例を示したが、１組のグレモンロッドおよびグレモン本体であってもよいし、３組以上のグレモンロッドおよびグレモン本体であってもよい。
【００４３】
また、グレモンロッド１１とグレモンロッド１２とは（グレモン本体１３とグレモン本体１４とは）、必ずしも連動させる必要はない。グレモン本体１４に回転レバー１０を設けて、グレモンロッド１１とグレモンロッド１２とを独立させて動かしてもよい。
【符号の説明】
【００４４】
１：ドア装置
２：扉体（スライド式）
３：扉体（スイング式）
４：フィックス扉
５：扉駆動装置（扉駆動手段）
７：手動開閉機構
８：水平支持ローラ
９：操作手段
１０：回転レバー
１１、１２：グレモンロッド
１３、１４：グレモン本体
１８：クサビ状体
１９：ローラ
２０：ローラ支持部材
【図１】
0005691093.tif 000002
【図２】
0005691093.tif 000003
【図３】
0005691093.tif 000004
【図４】
0005691093.tif 000005
【図５】
0005691093.tif 000006
【図６】
0005691093.tif 000007